(57)【特許請求の範囲】
【請求項１】
複数のオーディオ信号をソースとし、上記複数のオーディオ信号から複数のカットを編集して新たなオーディオ信号を生成する音声編集装置において、
記憶手段と、
上記記憶手段からカットを読み出し、読み出したカットをＲＡＭに書き込み、書き込みが終了して次の上記記憶手段への読み出しが開始できるまでの時間を最小時間とし、当該最小時間をウィンドウ期間としたとき、
複数のカットを含む第１の編集リストを作成する第１の編集リスト作成手段と、
上記編集リスト作成手段によって作成された第１の編集リストにおいて、上記ウィンドウ期間に複数のカットが含まれるか否かを検出する検出手段と、
上記検出手段によって、上記ウィンドウ期間に複数のカットが含まれることが検出された際に、少なくともそのウィンドウ期間に対応するオーディオ信号を編集し、新たなカットとして上記記憶手段に記憶させると共に、上記新たなカットを含むプログラム再生用の第２の編集リストを生成する第２の編集リスト生成手段とを備えたことを特徴とする音声編集装置。
【請求項２】
上記検出手段は、上記ウィンドウ期間に複数のカットが含まれることを検出した際に、上記複数のカットの始点から終点までの時間が、上記ウィンドウ期間の２倍以上であるか否かを検出し、
上記第２の編集リスト生成手段は、上記複数のカットの始点から終点までの時間が、上記ウィンドウ期間の２倍以上である際に、上記複数のカットの始点から上記ウィンドウ期間分に相当するオーディオ信号を新たなカットとして上記記憶手段に記憶させることを特徴とする請求項１記載の音声編集装置。
【請求項３】
上記第２の編集リスト生成手段は、上記複数のカットの始点から終点までの時間が、上記ウィンドウ期間の２倍以下である際に、上記複数のカットの始点から終点までに相当するオーディオ信号を新たなカットとして上記記憶手段に記憶させることを特徴とする請求項２記載の音声編集装置。
【請求項４】
複数のオーディオ信号をソースとし、上記複数のオーディオ信号から複数のカットを編集して新たなオーディオ信号を生成する音声編集方法において、
記憶手段からカットを読み出し、読み出したカットをＲＡＭに書き込み、書き込みが終了して次の上記記憶手段への読み出しが開始できるまでの時間を最小時間とし、当該最小時間をウィンドウ期間としたとき、
複数のカットを含む第１の編集リストを作成し、
作成された第１の編集リストにおいて、上記ウィンドウ期間に複数のカットが含まれるか否かを検出し、
複数のカットが含まれることが検出された際に、少なくともそのウィンドウ期間に対応するオーディオ信号を編集し、新たなカットとして記憶手段に記憶させると共に、上記新たなカットを含むプログラム再生用の第２の編集リストを生成することを特徴とする音声編集方法。
【請求項５】
上記ウィンドウ期間に複数のカットが含まれることが検出された際に、上記複数のカットの始点から終点までの時間が、上記ウィンドウ期間の２倍以上であるか否かを検出し、
上記複数のカットの始点から終点までの時間が、上記ウィンドウ期間の２倍以上である際に、上記複数のカットの始点から上記ウィンドウ期間分に相当するオーディオ信号を新たなカットとして上記記憶手段に記憶させることを特徴とする請求項４記載の音声編集方法。
【請求項６】
上記複数のカットの始点から終点までの時間が、上記ウィンドウ期間の２倍以下である際に、上記複数のカットの始点から終点までに相当するオーディオ信号を新たなカットとして上記記憶手段に記憶させることを特徴とする請求項５記載の音声編集方法。
【請求項７】
複数のオーディオ信号をソースとし、上記複数のオーディオ信号から複数のカットを編集して新たなオーディオ信号を生成する音声編集システムにおいて、
記憶手段と、
上記記憶手段からカットを読み出し、読み出したカットをＲＡＭに書き込み、書き込みが終了して次の上記記憶手段への読み出しが開始できるまでの時間を最小時間とし、当該最小時間をウィンドウ期間としたとき、
上記複数のオーディオ信号を再生するソース手段と、
複数のカットを含む第１の編集リストを作成する第１の編集リスト作成手段と、
上記編集リスト作成手段によって作成された第１の編集リストにおいて、上記ウィンドウ期間に複数のカットが含まれるか否かを検出する検出手段と、
上記検出手段によって、上記ウィンドウ期間に複数のカットが含まれることが検出された際に、少なくともそのウィンドウ期間に対応するオーディオ信号を上記ソース手段から再生させ、新たなカットとして上記記憶手段に記憶させると共に、上記新たなカットを含む第２の編集リストを生成する第２の編集リスト生成手段と、
記録手段と、
上記第２の編集リストに応じて上記ソース手段から再生された音声信号を編集して上記記録手段に記録させる制御手段とを備えたことを特徴とする音声編集システム。
【請求項８】
上記検出手段は、上記ウィンドウ期間に複数のカットが含まれることを検出した際に、上記複数のカットの始点から終点までの時間が、上記ウィンドウ期間の２倍以上であるか否かを検出し、
上記第２の編集リスト生成手段は、上記複数のカットの始点から終点までの時間が、上記ウィンドウ期間の２倍以上である際に、上記複数のカットの始点から上記ウィンドウ期間分に相当するオーディオ信号を新たなカットとして上記記憶手段に記憶させることを特徴とする請求項７記載の音声編集システム。
【請求項９】
上記第２の編集リスト生成手段は、上記複数のカットの始点から終点までの時間が、上記ウィンドウ期間の２倍以下である際に、上記複数のカットの始点から終点までに相当するオーディオ信号を新たなカットとして上記記憶手段に記憶させることを特徴とする請求項８記載の音声編集システム。
【発明の詳細な説明】
【０００１】
【産業上の利用分野】
この発明は、単一若しくは複数のオーディオ信号をソースとして用いてオーディオ信号の編集を行なうようにした音声編集装置に関する。
【０００２】
【従来の技術】
オーディオ信号の編集装置で、そのソースとしてディジタル信号のみを取り扱って行なうようなディジタル式の音声編集装置が考えられている。
【０００３】
図８はこのようなディジタル式の音声編集装置１０の一例を示す要部の構成図である。１２は編集する前のソースが記録されているプレーヤであって、このプレーヤ１２としては光磁気ディスクを使用したＭＯプレーヤを始めとしてＰＣＭプレーヤ、ＶＣＲ、ＤＡＴプレーヤ、ＣＤプレーヤなど何れもオーディオ信号がディジタル信号として記録されたものを使用することができる。
【０００４】
これらのソースにはディジタルオーディオ信号と共にタイムコードＴＣが記録されている。したがって、このタイムコードを基準にすれば複数のソースをランダムに選択して目的の編集を実行するノンリニア編集を行うことができる。
【０００５】
まず、プレーヤ１２から編集に使用される可能性のあるオーディオ信号を音声素材として再生し、これらを例えばハードディスク装置（ＨＤＤ）４０で記憶する。
【０００６】
図９は編集リストの一例であって、再生順、使用される音声素材の情報やカット点などの編集情報が記憶される。この編集情報を用いると図１０Ａに示すようにカットをつなぎ合わせた編集後のオーディオ信号が得られる。
【０００７】
編集リストにしたがってプログラム再生するときは、ＨＤＤ装置４０から再生したオーディオ信号に対して信号処理手段として機能するＤＳＰ（ディジタル・シグナル・プロセッサ）２０により特定の信号処理（フィルタリングやクロスフェード処理など）が施される。ＤＳＰ２０は図８のようにＤＳＰ処理部２１とワークメモリとしてのＲＡＭ２２を有する。
【０００８】
プログラム再生された編集後のオーディオ信号はスピーカ（図示せず）に供給したりレコーダ４２で記録する。レコーダ４２としてはＭＯレコーダやＰＣＭレコーダなどが使用される。レコーダ４２には編集リストを同時に記録することもできる。
【０００９】
編集リストには編集点や信号処理情報（フィルタ特性やクロスフェードの傾き情報など）などが含まれる。図１０Ａのカットの順序を例えば同図Ｂのように変更して再編成するには上述した編集リストが利用される。
【００１０】
【発明が解決しようとする課題】
上述した編集作業にあって最終的な編集を決定するためには、何回か編集リストにしたがった再生（プログラム再生）を行い、最終確認がなされた段階で始めて最終的な編集リストが得られて、編集作業が完了する。そして、作成した編集リストに基づいて１カットごとにクロスフェード処理を実時間で行いながら編集処理や編集の確認を行なうことになる。したがって、この編集処理や編集の確認時次のような問題を惹起する場合がある。
【００１１】
ノンリニア編集の場合には１音入れ替えのような作業も含まれる。例えば、ソースそのものの音（音符）がずれていたり、極く僅かな期間ノイズがのってしまったりして、その音（１音ないし数音）を別の音に入れ替える必要が生ずることがある。このような場合には編集すべきカットの長さが極端に短い。
【００１２】
一方、ＤＳＰ用メモリ２２として例えば図１１に示すように２個のＲＡＭ２２ａ，２２ｂが使用される場合には、リード、ライトが交互に行なわれる。そのため、特定カットのアクセスを指示してＨＤＤ装置４０より該当するカットをリードし、これをＲＡＭ２２ａ若しくは２２ｂにライトし終わるまでの間に、次のカットをアクセスしなけらばならないようなときには直前のファイル情報を完全に記憶できなくなってしまう。
【００１３】
いま、ＨＤＤ装置４０などの記憶手段に対してアクセスを開始してからそのデータをＲＡＭ２２ａなどの別の記憶手段に書き込み、その書き込みが終了して、次のアクセスを開始できるまでの時間に対して、多少の余裕をもたせた時間を最小時間Ｔ（ｍsec）と呼称する。
【００１４】
そうすると、図１２のようにカットＡ２の長さ（時間）がこの最小時間Ｔ（通常３００ｍsec〜２sec程度）以下であるようになときには、カットＡ２を完全に記憶する前に次のカットＡ３に対するアクセスが開始されるためカットＡ２を正しく記憶できなくなってしまう。したがって正しく編集作業を遂行できず、音切れが発生する。このような音切れは上述したように１音入れ替えのような編集処理のときしばしば発生する。
【００１５】
そこで、この発明はこのような従来の課題を解決したものであって、音切れのないプログラム再生が可能な音声編集装置を提案するものである。
【００１６】
【課題を解決するための手段】
上述の課題を解決するため、請求項１に記載された発明では、複数のオーディオ信号をソースとし、上記複数のオーディオ信号から複数のカットを編集して新たなオーディオ信号を生成する音声編集装置において、記憶手段と、上記記憶手段からカットを読み出し、読み出したカットをＲＡＭに書き込み、書き込みが終了して次の上記記憶手段への読み出しが開始できるまでの時間を最小時間とし、当該最小時間をウィンドウ期間としたとき、複数のカットを含む第１の編集リストを作成する第１の編集リスト作成手段と、上記編集リスト作成手段によって作成された第１の編集リストにおいて、上記ウィンドウ期間に複数のカットが含まれるか否かを検出する検出手段と、上記検出手段によって、上記ウィンドウ期間に複数のカットが含まれることが検出された際に、少なくともそのウィンドウ期間に対応するオーディオ信号を編集し、新たなカットとして上記記憶手段に記憶させると共に、上記新たなカットを含むプログラム再生用の第２の編集リストを生成する第２の編集リスト生成手段とを備えたことを特徴とするものである。
【００１７】
請求項４に記載された発明では、複数のオーディオ信号をソースとし、上記複数のオーディオ信号から複数のカットを編集して新たなオーディオ信号を生成する音声編集方法において、記憶手段からカットを読み出し、読み出したカットをＲＡＭに書き込み、書き込みが終了して次の上記記憶手段への読み出しが開始できるまでの時間を最小時間とし、当該最小時間をウィンドウ期間としたとき、複数のカットを含む第１の編集リストを作成し、作成された第１の編集リストにおいて、上記ウィンドウ期間に複数のカットが含まれるか否かを検出し、複数のカットが含まれることが検出された際に、少なくともそのウィンドウ期間に対応するオーディオ信号を編集し、新たなカットとして記憶手段に記憶させると共に、上記新たなカットを含むプログラム再生用の第２の編集リストを生成することを特徴とするものである。
【００１８】
請求項７に記載された発明では、複数のオーディオ信号をソースとし、上記複数のオーディオ信号から複数のカットを編集して新たなオーディオ信号を生成する音声編集システムにおいて、記憶手段と、上記記憶手段からカットを読み出し、読み出したカットをＲＡＭに書き込み、書き込みが終了して次の上記記憶手段への読み出しが開始できるまでの時間を最小時間とし、当該最小時間をウィンドウ期間としたとき、上記複数のオーディオ信号を再生するソース手段と、複数のカットを含む第１の編集リストを作成する第１の編集リスト作成手段と、上記編集リスト作成手段によって作成された第１の編集リストにおいて、上記ウィンドウ期間に複数のカットが含まれるか否かを検出する検出手段と、上記検出手段によって、上記ウィンドウ期間に複数のカットが含まれることが検出された際に、少なくともそのウィンドウ期間に対応するオーディオ信号を上記ソース手段から再生させ、新たなカットとして上記記憶手段に記憶させると共に、上記新たなカットを含む第２の編集リストを生成する第２の編集リスト生成手段と、記録手段と、上記第２の編集リストに応じて上記ソース手段から再生された音声信号を編集して上記記録手段に記録させる制御手段とを備えたことを特徴とするものである。
【００１９】
【作用】
この発明ではカットの長短に拘らず最初に編集リスト（表リストと称される第１の編集リスト）を作成する。次に編集によって作成されたカットの長さをウィンドウＷを用いて検索して第２の編集リスト（裏リスト）が作成される。必要に応じてカットの集合体を新たなカットとして記憶する。第２の編集リストがプログラム再生用編集リストとして使用される。
【００２０】
ウィンドウＷの中にカットが１つしか存在しないとき若しくはカットがウィンドウＷよりも長いときは、そのときのカットの情報がそのまま第２の編集リストに登録される。このような長さのカットでは音切れが発生しないからである。
【００２１】
ウィンドウＷ内にカットが複数存在する場合には新たな音声素材（この音声素材はそのまま１カットとして使われる。）の記憶が行なわれる。また、新たに記憶された音声素材に対応するカットの情報が第２の編集リストに登録される。カットの長さに応じて処理の仕方が相違する。
【００２２】
【実施例】
続いて、この発明に係る音声編集装置等の一例を上述したディジタル式の音声編集装置に適用した場合につき、図面を参照して詳細に説明する。
【００２３】
図１は本発明の音声編集装置の全体図を示したものである。
この図１に示すプレーヤ１２としてはＣＤプレーヤ１３、ＰＣＭプレーヤ１４、ＤＡＴプレーヤ１５およびＭＯプレーヤ１６の４種類を例示するが、その種類および数は一例である。
【００２４】
ＤＳＰ２０はＤＳＰ処理部２１、それに付随したワークメモリこの例ではＲＡＭ２２の他、複数のインタフェース２３〜２７を有する。それぞれのプレーヤ１３，１４，１５からの再生オーディオ信号は、編集リスト作成のためＳＣＳＩ用のインタフェース２６を介して音声素材記憶手段としてのＨＤＤ装置４０に取り込まれる。
【００２５】
ＭＯプレーヤ１６に関しては上述したＳＣＳＩ用インタフェース２６を介してその再生オーディオ信号がＨＤＤ装置４０に取り込まれる。
【００２６】
制御部３０はその本体であるＣＰＵ３１の他に、制御プログラムやプログラム再生用編集リスト作成用プログラムなどが格納された制御ＲＯＭ３２と、編集リストなどを一時的に格納するメモリ（ＲＡＭ）３３が設けられている。編集リストはＨＤＤ装置４０などに記録される。
【００２７】
編集後のオーディオ信号などを記録するレコーダ４２としてＭＯレコーダ４３とＰＣＭレコーダ４４を例示しているが、これは一例である。ＭＯプレーヤ１６、ＭＯレコーダ４３およびＨＤＤ装置４０は上述したＳＣＳＩバスでデータの転送が行なわれる。ＰＣＭレコーダ４４はインタフェース２７を介してデータの転送が行なわれる。
【００２８】
ＤＳＰ処理部２１でフィルタリングやクロスフェード処理されたオーディオ信号はＤ／Ａ変換器４５でアナログ信号に戻されたのち、アンプ４６およびスピーカ４７を経て編集前および編集後のオーディオ信号がモニタされる。
【００２９】
編集リストはコントロールパネル５０に接続されたモニタ（ＣＲＴ，液晶パネルなど）５１に表示される。モニタ５１には編集リストの他にオーディオ信号のエンベロープや編集指示用のカーソルなども同時に表示することができる。
【００３０】
さて、この編集リストを作成する前に、まず、各プレーヤ１３，１４，１５から編集に使用される可能性のあるオーディオ信号が音声素材としてＨＤＤ装置４０のハードディスクに記憶される。そして、このＨＤＤ装置４０内に記憶された音声素材に基づいて編集リストが作成される。
【００３１】
さて、このようにシステム化された音声編集装置１０におけるプログラム再生用編集リストの作成手順を以下に示す。
【００３２】
この発明ではカットの長短に拘らず最初に編集リスト（表リストと称される第１の編集リスト）を作成する。次に編集によって作成されたカットの長さをウィンドウＷを用いて検索して第２の編集リスト（裏リスト）が作成される。必要に応じてカットの集合体を新たなカットとして記憶する。第２の編集リストがプログラム再生用編集リストとして使用される。ウィンドウＷの長さは上述した最小時間Ｔに選ばれる。
【００３３】
カットの長さがウィンドウＷを使用して検索される。カットの長さに応じて第２の編集リストの作成処理が異なる。
【００３４】
（Ａ）ウィンドウＷの中にカットが１つしか存在しないとき若しくはカットがウィンドウＷよりも長いときは、そのときのカットの情報がそのまま第２の編集リストに登録される。このような長さのカットでは音切れが発生しないからである。図２がこの条件の好例である。
【００３５】
図２Ａ〜Ｄは何れもウィンドウＷよりもカットが長い例であり、同図Ｅ〜ＧはウィンドウＷよりもカットが短い場合である。これらのカットは何れも現在の検索起点から次の検索起点まで最小時間Ｔ以上あるから、この場合には次の検索起点の位置に拘らず第１の編集リストの対応するカットの情報が第２の編集リストにそのまま登録される。
【００３６】
（Ｂ）ウィンドウＷ内にカットが複数存在する場合には新たな音声素材（この音声素材はそのまま１カットとして使われる。）の記憶が行なわれる。また、新たに記憶された音声素材に対応するカットの情報が第２の編集リストに登録される。カットの長さに応じて処理の仕方が相違する。
【００３７】
（Ｂ１）図３Ｄ，Ｅ，Ｆで示すように複数のカットの始点から終点までの時間（太線図示）が、ウィンドウＷの時間の２倍以下であるときには、複数のカットの始点から終点までに相当する全てのオーディオ信号（同図ＤではＡ１，Ａ２，Ａ３、同図Ｅ，ＦではＡ１とＡ２）を新たな音声素材ＡｘとしてＨＤＤ装置４０に記憶する。これと同時にこの新たに記憶された音声素材Ａｘに相当するカットの情報を第２の編集リストに登録する。
【００３８】
なお、図３Ｄの場合にはカットＡ１およびＡ２が短いため、それぞれに続くカットＡ２およびＡ３をＨＤＤ装置４０で記憶する際にも、音切れが発生してしまう。よって、この場合はまずカットＡ１とＡ２とをつないだカットをまず記憶しておき、このカットとカットＡ３をつなぎ新たな音声素材としてＨＤＤ装置４０で記憶する。
【００３９】
図３Ａ，Ｂ，Ｃのように複数のカットの始点から終点までのトータル時間がウィンドウＷの時間内であるときも同じ処理が行なわれる。
【００４０】
（Ｂ２）複数のカットの始点から終点までの時間が、図３ＧのようにウィンドウＷの時間の２倍以上であるときには、これら複数のカットの始点からウィンドウＷ分に相当するカットを新たな音声素材ＡｘとしてＨＤＤ装置４０で記憶する。
【００４１】
これと同時にこの新たに記憶されたウィンドウＷ分の長さを有する音声素材Ａｘの情報を第２の編集リストに登録する。さらにウィンドウＷを越える残りのカット情報（図３Ｇ斜め破線図示）を別の新しいカットとして第２の編集リストに登録する。なお、このカットの音声素材は、既にＨＤＤ装置４０で記憶されているので、新たに記憶することは行われない。すなわち、図３Ｇのような場合、２Ｗ以上のカットの全てを新たにＨＤＤ装置で記憶することもできるが、そのためには、ＨＤＤ装置４０の記憶容量を大きくしなければならない。これに対し、検索起点からウィンドウＷ内に存在するカットだけを新たな音声素材として記憶させるようにするとＨＤＤ装置４０の記憶容量をそれだけ小さくできるからである。
【００４２】
また、２Ｗ以上のカットの全てを新たにＨＤＤ装置４０で記憶するようにすると、そのカットの記録にかかる時間が長くなり、第２の編集リスト作成時間が長くなってしまう。これに対し、この発明では第２の編集リスト作成に要する時間を短くすることができる。
【００４３】
さらには、上述の場合に比べてオリジナルに近い音声信号を使用することができ、音質の劣化が防止できるという効果もある。
【００４４】
このように最小時間Ｔ内に複数のカットが存在するときのみ、それらをまとめて新たなカットとしてＨＤＤ装置４０で記憶する。したがって、第１の編集リストが（Ｂ）に示すようなものであっても、第２の編集リストを使用してプログラム再生すれば、そのカットは少なくとも最小時間Ｔの長さをもつものであるから、音切れのない音声編集を行うことができる。
【００４５】
図４は図３Ｄの具体例である。この例では４つの音声素材１〜４（同図Ｂ〜Ｅ）を用いて音声素材が切り取られて同図Ａに示すような音声信号として編集される。ここで、図４Ａにおける横軸は、実時間すなわち、編集して得た音声信号の記録先すなわちレコーダ側でのタイムコードである。
【００４６】
音声素材１のタイムコードが１００secから０．５secの長さの区間が、カットＡ１として利用される。このカットＡ１の実時間は、０．０secから０．５secとなる。同様に、音声素材２のタイムコードが３００secから１secの長さの区間が、カットＡ２として利用される。このカットＡ２の実時間は、０．５secから１．５secとなる。さらに、音声素材３のタイムコードが５００secから１．５secの長さの区間が、カットＡ３として利用され、その実時間は、１．５secから３secとなる。
【００４７】
さらには、音声素材４のタイムコードが８００secから２secの長さの区間が、カットＡ４として利用される。このカットＡ４の実時間は、４secから６secとなる。したがって、カットＡ３とカットＡ４の間には、無音の部分が存在する。
【００４８】
この図４に対応する第１の編集リストを図５に示す。なお、図５では便宜的に図４にないカットＡ５以降の情報も示されている。図５において、実時間を検索起点とすると、ウィンドウＷ内に３つのカットが存在し、かつ最後のカットの終点が２Ｗ期間以内あるので、カットＡ１〜Ａ３の全てが新たな音声素材ＡｘとしてＨＤＤ装置４０に記憶される。そして、これに対応し、図６のような第２の編集リストが作成される。
【００４９】
上述した処理を図７に示すフローチャートを用いて詳細に説明する。このフローチャートにおいて、まずスッテプ６１においてオペレータにより第１の編集リストの作成が行なわれる。編集リストの作成が終了するとオペレータがセーブキー（図示はしない）を操作することにより編集リストの登録が行なわれる（ステップ６２）。
【００５０】
第１の編集リストの登録が終了すると、直ちに第２の編集リストの作成処理に移行する。そしてウィンドウ検索開始点を検出する（ステップ６３）。これはそれぞれのカットの先頭位置を検索することである。
【００５１】
そして、ステップ６４において、検索開始点を基準にしてウィンドウＷの時間内に複数のカットが存在しないとき、つまりウィンドウＷ内に１つのカットしか存在しないとき若しくはウィンドウＷよりも幅広のカットであるときは、そのカットに対応する第１の編集リストの情報をそのまま第２の編集リストに登録する（ステップ６５）。
【００５２】
これに対しスッテプ６４においてウィンドウＷの時間内に複数のカットが存在するときはスッテプ６６に進みウィンドウＷの終了点にかかっているカットの長さが検索される。図３Ｄの例ではカットＡ３の長さが判別され、検索起点より計測してウィンドウＷの長さの２倍以上のところでカットＡ３が終了しているか否かの判断がなされる。
【００５３】
２倍以内であるときはステップ６７に進み、検索起点よりウィンドウＷ終了点にかかるカットのアウト点までの全てを１つの音声素材（カット）として実体化する。ここで実体化とは対応するカット（図３ＤではＡ１，Ａ２，Ａ３）をＨＤＤ装置４０からリードして編集を行い、ステップ６８に示すようにＨＤＤ装置４０の他の領域に記憶させる処理である。この処理と同時に第２の編集リストにこのカットの情報を登録する（スッテプ６９）。
【００５４】
スッテプ６６において、検索起点より計測してウィンドウＷの長さの２倍以上あるときには、スッテプ７１に進み、ウィンドウＷの長さ分だけが新たな音声素材（カット）として実体化される。図３Ｇに示す太線枠内の部分がこれに当たる。実体化された新たなカットはＨＤＤ装置４０で記憶される（ステップ７２）。
【００５５】
このカットの情報が第２の編集リストに登録される。登録と同時に残りのカット（図３Ｇ斜め破線図示）の情報が第２の編集リストに登録される（ステップ７３）。そして、このような処理が全てのカットについて行なわれて第２の編集リスト作成処理が終了する（ステップ７４）。
【００５６】
【発明の効果】
以上のように、この発明では、カットの長短に拘らず最初に編集リストを作成し、次に編集によって生じたカットの長さをウィンドウを用いて検索して第２の編集リストを作成するようにしたもので、第２の編集リストがプログラム再生用編集リストとして使用される。検索の結果新たなカットとして作成する必要があるときはそのカットが新たな音声素材として記憶されると共に、その内容が第２の編集リストに登録されることになる。
【００５７】
こうすることによってウィンドウ内に２以上のカットが存在するときは、それらをまとめて新しいカットとして記憶するようにしたので、プログラム再生するときは１カット分の音声素材となる。この新しいカットは上述した最小時間の長さであるので、音切れのない音声編集を実現できる。
【００５８】
そして、オペレータによりプログラム再生が指示されると、第２の編集リストに基づいてプログラム再生が行われることとなり、従来のようにある音が再生できなくなることがない。
【００５９】
また、第２の編集リストはモニタには表示されず、第１の編集リストがそのまま表示される。したがって、オペレータは、自身の作成した編集リストが表示されたままであるので、リスト上での編集の状況を確認しやすい。
【００６０】
さらに、この発明では記憶手段としてＨＤＤ装置を用いたがＨＤＤ装置よりアクセス速度の遅い光ディスク装置等を記憶手段として用いる際には、この発明の効果がさらに顕著になる。
【００６１】
したがってこの発明に係る音声編集装置、音声編集方法およびそのシステムは上述した音声編集システムに適用して極めて好適である。
【図面の簡単な説明】
【図１】この発明に係る音声編集装置の一例を示す要部の系統図である。
【図２】ウィンドウを使用したカットの検索例を示す説明図である。
【図３】ウィンドウを使用したカットの検索例を示す説明図である。
【図４】編集後の音声信号の一例を示す図である。
【図５】第１の編集リストの作成例を示す図である。
【図６】第２の編集リストの作成例を示す図である。
【図７】編集リスト作成手順の一例を示すフローチャートである。
【図８】従来の音声編集装置の系統図である。
【図９】編集リスト内容の一例を示す図である。
【図１０】編集リスト例の図である。
【図１１】ＤＳＰ用メモリの構成図である。
【図１２】プログラム再生時に使用される編集リストの説明図である。
【符号の説明】
１０  音声編集装置
１２  プレーヤ
２０  ＤＳＰ
２１  ＤＳＰ処理部
２２  ＤＳＰ用メモリ
３０  制御部
４０  ＨＤＤ装置
４２  レコーダ
５０  コントロールパネル
【図１】
0003711575.tif 000002
【図２】
0003711575.tif 000003
【図３】
0003711575.tif 000004
【図４】
0003711575.tif 000005
【図５】
0003711575.tif 000006
【図６】
0003711575.tif 000007
【図７】
0003711575.tif 000008
【図８】
0003711575.tif 000009
【図９】
0003711575.tif 000010
【図１０】
0003711575.tif 000011
【図１１】
0003711575.tif 000012
【図１２】
0003711575.tif 000013